(57)【要約】【課題】  半開きが生じないように効果的に閉鎖姿勢まで閉じることのできるクローザ機能を備えた引戸装置を低コストで提供すること。【解決手段】  上部レール２に沿って滑走するローラー１１を上端に備えた引戸１であって、前記ローラー１１はスプリング６によって常時上方に向かって付勢された状態で上下移動可能に形成され、前記引戸１の閉鎖位置近傍において、引戸閉鎖終端位置に至るほど上方に向かって傾斜する傾斜ガイド部２ａが上部レール２に設けられている構造。【選択図】図１
2007182714.tif 000002
【特許請求の範囲】
【請求項１】
上部レールに沿って滑走するローラーを上端に備えた引戸であって、前記ローラーはスプリングによって常時上方に向かって付勢された状態で上下移動可能に形成され、前記引戸の閉鎖位置近傍において、引戸閉鎖終端位置に至るほど上方に向かって傾斜する傾斜ガイド部が前記ローラーに対向する箇所で上部レールに設けられている引戸装置。
【請求項２】
引戸の急激な閉鎖を緩和する緩衝部材が引戸に設けられている請求項１に記載の引戸装置。
【請求項３】
前記緩衝部材が、引戸に取り付けられたシリンダーと、シリンダー内で摺動可能に収納されたピストンリングと、シリンダーの一端から引戸閉鎖方向に向かって延出されたピストンロッドとからなり、前記ピストンロッドはスプリングにより常時引戸の先端面から突出した姿勢に付勢されており、前記シリンダーの他端に小さなエアー抜穴が設けられている請求項２に記載の引戸装置。
【請求項４】
前記緩衝部材が、引戸に取り付けられたシリンダーと、シリンダー内で摺動可能に収納されたピストンリングと、シリンダーの一端から引戸閉鎖方向に延出されたピストンロッドと、ピストンロッドの先端に設けられた吸着体と、引戸の前端面に相対する固定枠体に取り付けられて前記吸着体に吸着する被吸着体とからなり、前記ピストンロッドは引戸前端面から出没可能に形成され、前記シリンダーの他端に小さなエアー抜穴が設けられている請求項２に記載の引戸装置。
【発明の詳細な説明】
【技術分野】
【０００１】
本発明は、引戸装置に関するもので、殊に、引戸を手で閉鎖位置近傍まで閉じて中断したときに、自動的に最終閉鎖姿勢まで閉じることのできるクローザ機能を備えた引戸装置に関するものである。
【背景技術】
【０００２】
従来、引戸を手で閉じるときに、半開きの状態で終わることがある。このような場合、再度閉じ操作を行わなければならず面倒である。そこで従来では、例えば特許文献１〜３で示すように、引戸を開ける際にバネやスプリングに力を蓄積させて、引戸を閉じるときに蓄積されたバネ力で最終閉鎖姿勢まで引戸を閉じるようにしたものがある。
【特許文献１】特開平１１−３０３４９５号公報
【特許文献２】特開平１１−３１５６６２号公報
【特許文献３】特開２００１−１２１３８号公報
【発明の開示】
【発明が解決しようとする課題】
【０００３】
しかし上記した従来技術は、バネやスプリングの力を蓄積するための機構が複雑で且つ大型化し、引戸に装着する作業が面倒でコストが高くつくと共に、引戸を開くときにバネ力が暫時増大して抵抗力が大きくなり、スムースな開き操作ができない。また、引戸を閉じるときに、蓄積されたバネ力の反動によって引戸が急激に閉鎖するので、閉鎖力を抑制する強力な緩衝装置を必要とするなどの問題点があった。
【０００４】
そこで本発明は、上記した従来欠点をなくし、簡単な構成で効果的に閉鎖姿勢まで閉じることのできるクローザ機能を備えた引戸装置を提供することを主たる目的とするものである。
【課題を解決するための手段】
【０００５】
上記目的を達成する為に本発明では次のような技術的手段を講じた。即ち、本発明に係る引戸装置にあっては、上部レールに沿って滑走するローラーを上端に備えた引戸であって、前記ローラーはスプリングによって常時上方に向かって付勢された状態で上下移動可能に形成され、前記引戸の閉鎖位置近傍において、引戸閉鎖終端位置に至るほど上方に向かって傾斜する傾斜ガイド部が前記ローラーに対向する箇所で上部レールに設けられている構成とした。
【０００６】
本発明において、引戸の急激な閉鎖を緩和する緩衝部材を引戸に設けるのが好ましい。これにより、引戸閉鎖時に引戸が相対する固定枠体に当接して不快な音や振動を発する等の不都合を防止することができる。
【０００７】
また、上記緩衝部材は、引戸に取り付けられたシリンダーと、シリンダー内で摺動可能に収納されたピストンリングと、シリンダーの一端から引戸閉鎖方向に向かって延出されたピストンロッドとからなり、前記ピストンロッドはスプリングにより常時引戸の先端面から突出した姿勢に付勢されており、前記シリンダーの他端に小さなエアー抜穴が設けられている構造とするのがよい。
【０００８】
また、上記緩衝部材の別案として、前記緩衝部材が、引戸に取り付けられたシリンダーと、シリンダー内で摺動可能に収納されたピストンリングと、シリンダーの一端から引戸閉鎖方向に延出されたピストンロッドと、ピストンロッドの先端に設けられた吸着体と、引戸の前端面に相対する固定枠体に取り付けられて前記吸着体に吸着する被吸着体とからなり、前記ピストンロッドは引戸前端面から出没可能に形成され、前記シリンダーの他端に小さなエアー抜穴が設けられている構造とするのが好ましい。  
【発明の効果】
【０００９】
本発明は上記の如く構成されているので、引戸を閉じる際に、その閉鎖位置近傍においてスプリングによって常時上方に向かって付勢されたローラーが傾斜ガイド部に沿って除々に押し上げられ、その反動によって引戸が閉鎖方向に移動し、これにより半開き等を未然に防止することができて確実に閉鎖することができる。また、その構成が、スプリングによって常時上方に向かって付勢されたローラーと、上部レールに設けられた傾斜ガイド部とによる極めて簡単な構造であり、且つローラーが引戸の上部滑走用のローラーと兼用できるから、組み付けが容易であると共に、低コストで提供することができる、といった効果がある。
【発明を実施するための最良の形態】
【００１０】
図１〜図３は本発明にかかる引戸装置の一実施例を示すものであって、符号１で引戸を示す。この引戸１は上端に上部レール２に沿って滑走するローラー３を備え、下端に下部レール４に沿って走行する下部ローラー１７を備えている。
【００１１】
前記上部のローラー３は、引戸上端に取り付けられたケース５に、上下摺動自在に装着されたローラー保持部材７に保持されており、ローラー保持部材７はスプリング６により常時上方に向かって付勢されている。
【００１２】
また、前記引戸１の閉鎖位置近傍において、引戸閉鎖終端位置に至るほど上方に向かって徐々に傾斜する傾斜ガイド部２ａが前記ローラー３に対向する箇所で上部レール２に設けられている。
【００１３】
更に、本実施例では、引戸の急激な閉鎖を緩和する緩衝部材Ａが引戸に設けられている。この緩衝部材Ａは、引戸１に取り付けられたシリンダー８と、シリンダー８内で摺動可能に収納されたピストンリング９と、シリンダー８の一端から引戸閉鎖方向に向かって延出されたピストンロッド１０とからなり、該ピストンロッド１０がスプリング１１により常時引戸１の先端面から突出した姿勢に付勢されている。また、前記シリンダー８の他端には小さなエアー抜穴１３が設けられている。このエアー抜穴１３はシリンダー８の外周面と引戸１のシリンダー挿入穴１２の内周面との僅かな隙間を抜けて大気に開放されている。
【００１４】
上記の構成において、引戸１を閉じる際に、その閉鎖位置近傍においてスプリング６によって常時上方に向かって付勢されたローラー３が傾斜ガイド部に沿って除々に押し上げられ、その反動によって引戸１が閉鎖方向に移動して引戸を確実に閉鎖することができ、これにより半開き等を未然に防止することができる。
【００１５】
また、引戸１が閉じるときに、ピストンロッド１０の先端が相対する固定枠体１４に当接してスプリング１１に抗して後退し、シリンダ内の空気がエアー抜穴１３から徐々に抜けるので、引戸１が急激に閉じることを緩和することができる。また、引戸１を開けると、ピストンロッド１０はスプリング１１によって元の突出姿勢に復帰する。尚、このスプリング１１の弾性力は、ピストンロッド１０を復帰させるだけの弱い力のものでよく、上記ローラー３と傾斜ガイド部２ａによる引戸１の自然閉鎖力を阻害しない程度に予め設定されている。
【００１６】
図４は前記緩衝部材Ａの別の実施例を示すものであって、引戸１に取り付けられたシリンダー８と、シリンダー８内で摺動可能に収納されたピストンリング９と、シリンダー８の一端から引戸閉鎖方向に延出されたピストンロッド１０と、ピストンロッド１０の先端に設けられた磁石又は鉄からなる吸着体１５と、引戸１の前端面に相対する固定枠体に取り付けられて前記吸着体１５に吸着する鉄又は磁石からなる被吸着体１６とを備えており、前記ピストンロッド１０は引戸１の前端面から出没可能に形成されている。また前記シリンダーの他端には先の実施例と同様なエアー抜穴１３が設けられている。従って、本実施例では、引戸１を閉じたときにピストンロッド１０が後退した姿勢で吸着体１５と被吸着体１６とが吸着し、引戸１を開けるときに吸着体１５と被吸着体１６とが吸着したまま引戸１が先行し、遅れて吸着体１５が被吸着体１６から遊離することになり、これによりピストンロッド１０を突出姿勢に復帰させることができる。またこの場合は、先の実施例のようにピストンロッド１０を突出姿勢に復帰するためのスプリング１１を必要としないので、ローラー３と傾斜ガイド部２ａによる引戸１の自然閉鎖力に影響を与えることがない。
【００１７】
上記吸着体１５並びに被吸着体１６は、磁石と鉄に代えて図５に示すように、弾性嵌合爪による吸着体１５’と、該吸着体１５’に弾力的に嵌合する被吸着体１６’とすることも可能である。
【００１８】
上記した各実施例では、ローラー３を備えたケース５と、緩衝部材Ａとが別体で形成したが、図６並びに図７で示すようにローラー３を備えたケース５’に緩衝部材Ａを一体的に組み込んで構成するようにしてもよい。尚、図６の実施例では緩衝部材のピストンロッド１０がスプリング１１によって突出姿勢に復帰するように形成されており、図７の実施例ではピストンロッド１０が吸着体１５と被吸着体１６とにより突出姿勢に復帰する方式で形成されている。また、この図７の実施例では、被吸着体１６を傾斜ガイド部２ａを形成する部材と一体的に形成した。
【００１９】
以上本発明の実施例について説明したが、本発明は必ずしもこれらの実施例構造のみに限定されるものでない。例えば、緩衝部材Ａを音や振動を緩和するゴムやクッション材で形成してもよい。或いは、必要に応じて緩衝部材を省略することも可能である。その他本発明ではその構成要件を備え、かつ本発明の目的を達成し、上記の効果を奏する範囲内において適宜改変して実施することができるものである。
【産業上の利用可能性】
【００２０】
本発明に係る引戸装置は、建具の引戸に限らず、家具の引戸等全ての引戸に利用することが可能である。
【図面の簡単な説明】
【００２１】
【図１】本発明に係る引戸装置の一実施例を示す断面図であって、引戸が閉じられる前を示す。
【図２】上記引戸装置の断面図であって、引戸を閉じた状態を示す。
【図３】上記引戸装置の正面図。
【図４】本発明にかかる引戸装置の他の実施例を示す断面図。
【図５】本発明に係る引戸装置の更に別の実施例を示す断面図。
【図６】本発明に係る引戸装置の更に他の実施例を示す断面図。
【図７】本発明に係る引戸装置の更に別の実施例を示す断面図。
【符号の説明】
【００２２】
１  引戸
２  上部レール
３  上部のローラー
５  ケース
６  スプリング
７  ローラー保持部材
８  シリンダー
９  ピストン
１０  ピストンロッド
１１  スプリング
１３  エアー抜穴
１５、１５’  吸着部材
１６、１６’  被吸着部材
Ａ  緩衝部材
【図１】
2007182714.tif 000003
【図２】
2007182714.tif 000004
【図３】
2007182714.tif 000005
【図４】
2007182714.tif 000006
【図５】
2007182714.tif 000007
【図６】
2007182714.tif 000008
【図７】
2007182714.tif 000009